(57)【要約】  例示的な一態様では、信号を送信する方法が提供される。本方法は、複数のオン期間と複数のオフ期間とを備える第１のマルチキャリアオンオフキーイングされた信号を送信することを含む。各オン期間中に第１の信号を送信することは、複数のサブキャリアの各サブキャリアについて、複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタのセットは、複数のサブキャリアのうちの少なくとも１つの他のサブキャリアに関連するファクタのセットとは異なる。【選択図】図２
2021536192.tif 000002
【特許請求の範囲】
【請求項１】
信号を送信する方法であって、前記方法は、
複数のオン期間と複数のオフ期間とを備える第１のマルチキャリアオンオフキーイングされた信号を送信することを含み、
各オン期間中に前記第１の信号を送信することは、複数のサブキャリアの各サブキャリアについて、
複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタの前記セットが、前記複数のサブキャリアのうちの少なくとも１つの他のサブキャリアに関連するファクタのセットとは異なる、方法。
【請求項２】
各サブキャリアに関連するファクタの前記セットが離散フーリエ変換（ＤＦＴ）行列の行または列に対応する、請求項１に記載の方法。
【請求項３】
同じアンテナから送信される各サブキャリアに関連するそれぞれのファクタがＤＦＴ行列の列または行に対応する、請求項２に記載の方法。
【請求項４】
サブキャリアの数が前記ＤＦＴ行列のサイズの正の整数倍である、請求項２または３に記載の方法。
【請求項５】
サブキャリアの数が前記ＤＦＴ行列のサイズ以下であり、各サブキャリアに関連するファクタの前記セットが前記ＤＦＴ行列の異なるそれぞれの行または列を備える、請求項２から４のいずれか一項に記載の方法。
【請求項６】
サブキャリアの数が前記ＤＦＴ行列のサイズよりも大きく、前記サブキャリアに関連するファクタの前記セットが、前記ＤＦＴ行列のあらゆる行または列に対応するセットを含む、請求項２から４のいずれか一項に記載の方法。
【請求項７】
ファクタの前記セットのうちの少なくとも１つが、そのファクタに関連する前記周波数領域シンボルの位相シフトに対応しない、請求項１から６のいずれか一項に記載の方法。
【請求項８】
各サブキャリアに関連するそれぞれの周波数領域シンボルが、それぞれの量だけ位相シフトされた第１の周波数領域シンボルを備える、請求項１から７のいずれか一項に記載の方法。
【請求項９】
前記複数のサブキャリアが直交サブキャリアを備える、請求項１から８のいずれか一項に記載の方法。
【請求項１０】
前記サブキャリアのうちの１つまたは複数に関連するそれぞれの周波数領域シンボルが、異なるオン期間中に同じであるか、または異なり得る、請求項１から９のいずれか一項に記載の方法。
【請求項１１】
前記第１の信号が複数のデータシンボルを備え、各データシンボルがそれぞれのシンボル期間中のオン期間とオフ期間とに対応し、各シンボル期間中の前記オン期間および前記オフ期間の順序が、前記シンボル期間に対応する前記データシンボルに基づく、請求項１から１０のいずれか一項に記載の方法。
【請求項１２】
各シンボル期間中の前記オン期間および前記オフ期間の前記順序が、前記対応するデータシンボルのマンチェスターコーディングに基づいて選択される、請求項１１に記載の方法。
【請求項１３】
前記データシンボルが起動パケット（ＷＵＰ）に対応する、請求項１１または１２に記載の方法。
【請求項１４】
前記データシンボルが８０２．１１ｂａ起動パケット（ＷＵＰ）の少なくとも一部を備える、請求項１３に記載の方法。
【請求項１５】
少なくとも１つのプロセッサ上で実行されたとき、前記少なくとも１つのプロセッサに請求項１から１４のいずれか一項に記載の方法を実行させる命令を備えるコンピュータプログラム。
【請求項１６】
請求項１５に記載のコンピュータプログラムを含んでいるサブキャリアであって、前記サブキャリアが電子信号、光信号、無線信号またはコンピュータ可読記憶媒体のうちの１つを備える、サブキャリア。
【請求項１７】
請求項１５に記載のコンピュータプログラムを記憶した非一時的コンピュータ可読媒体を備えるコンピュータプログラム製品。
【請求項１８】
信号を送信するための装置であって、前記装置はプロセッサとメモリとを備え、前記メモリは、前記装置が、
複数のオン期間と複数のオフ期間とを備える第１のマルチキャリアオンオフキーイングされた信号を送信する
ように動作可能であるように、前記プロセッサによって実行可能な命令を含んでおり、
各オン期間中に前記第１の信号を送信することは、複数のサブキャリアの各サブキャリアについて、
複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタの前記セットが、前記複数のサブキャリアのうちの少なくとも１つの他のサブキャリアに関連するファクタのセットとは異なる、装置。
【請求項１９】
各サブキャリアに関連するファクタの前記セットが離散フーリエ変換（ＤＦＴ）行列の行または列に対応する、請求項１８に記載の装置。
【請求項２０】
同じアンテナから送信される各サブキャリアに関連するそれぞれのファクタがＤＦＴ行列の列または行に対応する、請求項１９に記載の装置。
【請求項２１】
サブキャリアの数が前記ＤＦＴ行列のサイズの正の整数倍である、請求項１９または２０に記載の装置。
【請求項２２】
サブキャリアの数が前記ＤＦＴ行列のサイズ以下であり、各サブキャリアに関連するファクタの前記セットが前記ＤＦＴ行列の異なるそれぞれの行または列を備える、請求項１９から２１のいずれか一項に記載の装置。
【請求項２３】
サブキャリアの数が前記ＤＦＴ行列のサイズよりも大きく、前記サブキャリアに関連するファクタの前記セットが、前記ＤＦＴ行列のあらゆる行または列に対応するセットを含む、請求項１９から２１のいずれか一項に記載の装置。
【請求項２４】
ファクタの前記セットのうちの少なくとも１つが、そのファクタに関連する前記周波数領域シンボルの位相シフトに対応しない、請求項１８から２３のいずれか一項に記載の装置。
【請求項２５】
各サブキャリアに関連するそれぞれの周波数領域シンボルが、それぞれの量だけ位相シフトされた第１の周波数領域シンボルを備える、請求項１８から２４のいずれか一項に記載の装置。
【請求項２６】
前記複数のサブキャリアが直交サブキャリアを備える、請求項１８から２５のいずれか一項に記載の装置。
【請求項２７】
前記サブキャリアのうちの１つまたは複数に関連するそれぞれの周波数領域シンボルが、異なるオン期間中に同じであるか、または異なり得る、請求項１８から２６のいずれか一項に記載の装置。
【請求項２８】
前記第１の信号が複数のデータシンボルを備え、各データシンボルがそれぞれのシンボル期間中のオン期間とオフ期間とに対応し、各シンボル期間中の前記オン期間および前記オフ期間の順序が、前記シンボル期間に対応する前記データシンボルに基づく、請求項１８から２７のいずれか一項に記載の装置。
【請求項２９】
各シンボル期間中の前記オン期間および前記オフ期間の前記順序が、前記対応するデータシンボルのマンチェスターコーディングに基づいて選択される、請求項２８に記載の装置。
【請求項３０】
前記データシンボルが起動パケット（ＷＵＰ）に対応する、請求項２８または２９に記載の装置。
【請求項３１】
前記データシンボルが８０２．１１ｂａ起動パケット（ＷＵＰ）の少なくとも一部を備える、請求項３０に記載の装置。
【請求項３２】
信号を送信するための装置であって、前記装置は、
複数のオン期間と複数のオフ期間とを備える第１のマルチキャリアオンオフキーイングされた信号を送信するように設定され、
各オン期間中に前記第１の信号を送信することは、複数のサブキャリアの各サブキャリアについて、
複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタの前記セットが、前記複数のサブキャリアのうちの少なくとも１つの他のサブキャリアに関連するファクタのセットとは異なる、装置。
【請求項３３】
信号を送信するための装置であって、前記装置は、
複数のオン期間と複数のオフ期間とを備える第１のマルチキャリアオンオフキーイングされた信号を送信するように設定された送信機モジュールを備え、
前記送信機モジュールは、複数のサブキャリアの各サブキャリアについて、
複数のアンテナの各アンテナから、そのサブキャリアに関連するファクタのセットのそれぞれのファクタによって位相シフトされた、そのサブキャリアに関連する周波数領域シンボルを送信すること
によって、各オン期間中に前記第１の信号を送信するように設定され、そのサブキャリアに関連するファクタの前記セットが、前記複数のサブキャリアのうちの少なくとも１つの他のサブキャリアに関連するファクタのセットとは異なる、装置。
【発明の詳細な説明】
【技術分野】
【０００１】
本開示の例は、たとえば、複数のサブキャリア上の複数のアンテナから、信号を送信することに関する。
【背景技術】
【０００２】
起動無線機と呼ばれることもある起動受信機（wake-up receiver）（ＷＵＲ）は、無線通信において使用される受信機における電力消費を著しく低減するための手段を与える。ＷＵＲのアイデアは、ＷＵＲは、起動信号の存在を検出することさえできればよいので、ＷＵＲが低電力アーキテクチャに基づくことができるというものである。起動信号が検出されると、それは、データ受信のために使用される別の受信機を起動し得る。
【０００３】
起動パケット（ＷＵＰ）、すなわち、ＷＵＲを起動するためにＷＵＲに送られる信号のための一般的に使用される変調はオンオフキーイング（ＯＯＫ）である。ＯＯＫは、論理１が、信号を送ること（ＯＮ）で表されるが、論理０が、信号を送らないこと（ＯＦＦ）によって表される、２値変調である。ＷＵＰは、ＷＵＲ  ＰＰＤＵ（ＰＬＣＰプロトコルデータユニット（protocol data unit）、ここでＰＬＣＰは物理レイヤコンバージェンスプロトコル（Physical Layer Convergence Protocol）である）と呼ばれることがある。
【０００４】
図１は、起動受信機（ＷＵＲ）１０２を含むデバイス１００の一例を示す。デバイス１００はまた、８０２．１１  １次コネクティビティ無線機（Primary Connectivity Radio）（ＰＣＲ）１０４を含む。ＷＵＲ１０２とＰＣＲ１０４は共通のアンテナ１０６に接続される。ＷＵＲ１０２がオンにされ、起動信号を待っているとき、８０２．１１  ＰＣＲ１０４は、電力を保存するためにオフに切り替えられ得る。起動信号がＷＵＲ１０２によって受信され、検出されると、ＷＵＲ１０２は８０２．１１  ＰＣＲ１０４を起動することができ、８０２．１１  ＰＣＲ１０４は、たとえば、Ｗｉ−Ｆｉを使用してアクセスポイント（ＡＰ）と通信することを開始し得る。
【発明の概要】
【０００５】
本開示の一態様は、信号を送信する方法を提供する。本方法は、複数のオン期間と複数のオフ期間とを備える第１のマルチキャリアオンオフキーイングされた信号を送信することを含む。各オン期間中に第１の信号を送信することは、複数のサブキャリアの各サブキャリアについて、複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタのセットは、複数のサブキャリアのうちの少なくとも１つの他のサブキャリアに関連するファクタのセットとは異なる。
【０００６】
本開示の別の態様は、信号を送信するための装置を提供する。本装置はプロセッサとメモリとを備える。メモリは、本装置が、複数のオン期間と複数のオフ期間とを備える第１のマルチキャリアオンオフキーイングされた信号を送信するように動作可能であるように、プロセッサによって実行可能な命令を含んでいる。各オン期間中に第１の信号を送信することは、複数のサブキャリアの各サブキャリアについて、複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタのセットは、複数のサブキャリアのうちの少なくとも１つの他のサブキャリアに関連するファクタのセットとは異なる。
【０００７】
本開示のさらなる一態様は、信号を送信するための装置を提供する。本装置は、複数のオン期間と複数のオフ期間を備える第１のマルチキャリアオンオフキーイングされた信号を送信するように設定される。各オン期間中に第１の信号を送信することは、複数のサブキャリアの各サブキャリアについて、複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタのセットは、複数のサブキャリアのうちの少なくとも１つの他のサブキャリアに関連するファクタのセットとは異なる。
【０００８】
本開示のまたさらなる一態様は、信号を送信することを提供する。本装置は、複数のオン期間と複数のオフ期間とを備える第１のマルチキャリアオンオフキーイングされた信号を送信するように設定された送信機モジュールを備える。送信機モジュールは、複数のサブキャリアの各サブキャリアについて、複数のアンテナの各アンテナから、そのサブキャリアに関連するファクタのセットのそれぞれのファクタによって位相シフトされた、そのサブキャリアに関連する周波数領域シンボルを送信することによって、各オン期間中に第１の信号を送信するように設定され、そのサブキャリアに関連するファクタのセットは、複数のサブキャリアのうちの少なくとも１つの他のサブキャリアに関連するファクタのセットとは異なる。
【０００９】
次に、本開示の例のより良い理解のために、およびそれらの例がどのように実施され得るかをより明らかに示すために、単に例として、以下の図面を参照する。
【図面の簡単な説明】
【００１０】
【図１】起動受信機を含むデバイスの一例を示す図である。
【図２】信号を送信する方法のフローチャートである。
【図３】例示的なデバイスの４つのアンテナから送信されるサブキャリアの概略図である。
【図４】４×４離散フーリエ変換（Discrete Fourier Transform）（ＤＦＴ）行列の一例を示す図である。
【図５】各サブキャリアおよび各アンテナから送信される周波数領域シンボルに適用されるファクタの一例を示す図である。
【図６】各サブキャリアおよび各アンテナから送信される周波数領域シンボルに適用されるファクタの別の例を示す図である。
【図７】２×２離散フーリエ変換（ＤＦＴ）行列の一例を示す図である。
【図８】各サブキャリアおよび各アンテナから送信される周波数領域シンボルに適用されるファクタの一例を示す図である。
【図９】各サブキャリア上および各アンテナ上で送信される一般的な周波数領域シンボルの一例を示す図である。
【図１０】信号を送信するための装置の一例の概略図である。
【図１１】信号を送信するための装置の一例の概略図である。
【発明を実施するための形態】
【００１１】
以下に、限定ではなく説明の目的で、特定の実施形態または例など、具体的な詳細を記載する。これらの具体的な詳細とは別に、他の例が採用され得ることが当業者によって諒解されよう。いくつかの事例では、よく知られている方法、ノード、インターフェース、回路、およびデバイスの詳細な説明は、説明を不要な詳細で不明瞭にしないように省略される。説明される機能は、ハードウェア回路（たとえば、専用の機能を実行するために相互接続されたアナログおよび／またはディスクリート論理ゲート、ＡＳＩＣ、ＰＬＡなど）を使用して、および／または１つもしくは複数のデジタルマイクロプロセッサもしくは汎用コンピュータとともにソフトウェアプログラムとデータとを使用して、１つまたは複数のノード中に実装され得ることを、当業者は諒解しよう。エアインターフェースを使用して通信するノードはまた、好適な無線通信回路を有する。その上、適切な場合、その技術は、さらに、プロセッサに本明細書で説明する技法を実行させるであろうコンピュータ命令の適切なセットを含んでいる、固体メモリ、磁気ディスク、または光ディスクなど、任意の形態のコンピュータ可読メモリ内で完全に具現化されると考えられ得る。
【００１２】
マンチェスターコーディングが起動パケット（ＷＵＰ）のデータシンボルに適用され得る。すなわち、論理「０」を備えるデータシンボルは「１０」として符号化され、論理「１」を備えるデータシンボルは「０１」として符号化される。したがって、たとえば、オンオフキーイング（ＯＯＫ）を使用すると、あらゆるデータシンボルは、（送信されるエネルギーがある）「ＯＮ」部と、送信されるエネルギーがない「ＯＦＦ」部とを備える。「ＯＮ」部および「ＯＦＦ」部の順序は、シンボルが論理「１」であるか、論理「０」であるかを示す。さらに、いくつかの例では、たとえば、８０２．１１ａ、ｇ、ｎおよび／またはａｃをサポートするＷｉ−Ｆｉ送信機など、いくつかの送信機では、逆方向高速フーリエ変換（ＩＦＦＴ）がすでに利用可能であるので、ＷＵＰの「オン」期間中の信号はこの機能によって生成され得る。例示的なＩＦＦＴは、６４個のポイントを有し、２０ＭＨｚのサンプリングレートで動作し、ちょうど通常の直交周波数分割多重（ＯＦＤＭ）の場合のように、８０２．１１ａ／ｇ／ｎ／ａｃにおいて使用されるＯＦＤＭシンボル持続時間を保持するために、ＩＦＦＴ演算の後にサイクリックプレフィックス（ＣＰ）が追加される。ＯＯＫ信号を生成するための例示的な一手法は、中央において１３個のサブキャリアを使用し、次いで、オン期間を表すための信号と、オフ期間中にまったく何も送信しないための信号とを用いて、これらのサブキャリアをポピュレートするというものである。これはマルチキャリアＯＯＫ（ＭＣ−ＯＯＫ）と呼ばれることがある。ＭＣ−ＯＯＫを生成するために同じＯＦＤＭシンボルが使用され得る。言い換えれば、すべてのデータシンボルのための非ゼロサブキャリアの各々をポピュレートするために同じ周波数領域シンボルが使用される。あらゆるマンチェスターコーディングされたデータシンボルの「ＯＮ」部を生成するために同じＯＦＤＭシンボルを使用することは、いくつかの利点を有し得る。たとえば、そのことはＭＣ−ＯＯＫのコヒーレント受信を可能にする。
【００１３】
アクセスポイントなど、デバイスは、いくつかの送信アンテナを有し得る。したがって、特定の空間的方向における偶発的な弱め合う干渉を回避するためには、送信ダイバーシティ方式が望ましいことがある。本開示の少なくともいくつかの実施形態は、起動パケット（ＷＵＰ）を備え得る、マルチアンテナＭＣ−ＯＯＫ信号などの信号を生成するための方法を提供する。いくつかの例では、各（たとえばマンチェスターコーディングされた）データシンボルのＯＮ部を生成するために使用されるＯＦＤＭシンボルはアンテナ固有である。すなわち、異なるＯＦＤＭシンボルが異なるアンテナを通して送信される。いくつかの例では、これらのアンテナ固有のＯＦＤＭシンボルは、離散フーリエ変換（ＤＦＴ）行列の列（または行）中の異なるエントリから、任意の所与のサブキャリアに対応する周波数領域シンボルを選定することによって、または、たとえば、複数のアンテナからのサブキャリア上で送信される信号のためのＤＦＴ行列の列（または行）中のエントリごとに周波数領域シンボルを回転させるかもしくは位相シフトすることによって、生成され得る。いくつかの例では、非ゼロサブキャリアの数が送信アンテナの数を超えるとき、ＤＦＴ行列の列（または行）が繰り返し使用され得る。いくつかの例では、列（または行）が同じ回数使用される。いくつかの例では、したがって、ＤＦＴ行列の行（または列）が使用された場合、サブキャリア当たり１つのビームで、直交ビームが生成され得、そのことは、ひいては信号の送信されたエネルギーの均一な空間分布を生じ得る。
【００１４】
図２は、信号を送信する方法２００の一例のフローチャートである。本方法は、いくつかの例では実装され得、したがって、信号はアクセスポイント（ＡＰ）などのデバイスによって送信され得る。方法２００は、ステップ２０２において、複数のオン期間と複数のオフ期間とを備える第１のマルチキャリアオンオフキーイングされた（ＭＣ−ＯＯＫ）信号を送信することを含む。各オン期間中に第１の信号を送信することは、複数のサブキャリアの各サブキャリアについて、ステップ２０４において、複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタのセットは、複数のサブキャリアのうちの少なくとも１つの他のサブキャリアに関連するファクタのセットとは異なる。
【００１５】
言い換えれば、たとえば、少なくとも２つのサブキャリアに適用されるファクタのそれぞれのセットは異なる。結果として、たとえば、アンテナから信号を送信することによって生成される干渉パターンは、サブキャリアのうちの少なくとも２つについて異なる。
【００１６】
図３は、例示的なデバイスの４つのアンテナから送信されるサブキャリアの概略図である。サブキャリア３０２は第１のアンテナから送信され、サブキャリア３０４は第２のアンテナから送信され、サブキャリア３０６は第３のアンテナから送信され、サブキャリア３０８は第４のアンテナから送信される。各ボックスは１つのサブキャリアを表す。ボックスが「０」を含んでいる場合、サブキャリアは使用されていない（たとえば、ＭＣ−ＯＯＫ信号の「オン」期間中または「オフ」期間中のいずれもそのアンテナからそのサブキャリアを使用して信号が送信されない）。ボックスが空である場合、サブキャリアは使用されている（たとえば、ＭＣ−ＯＯＫ信号の「オン」期間中にそのアンテナからそのサブキャリアを使用して信号が送信される）。ボックスの垂直カラムは１つのサブキャリアを表す。たとえば、ボックス３１０は、４つのアンテナの各々から送信される１つのサブキャリアを表す。たとえば、「オン」期間中にサブキャリア３１０を使用して４つのアンテナから送信される信号は、たとえば、そのサブキャリアに関連するファクタのセットによってシフトされた周波数領域シンボルを備え得る。すなわち、サブキャリア３１０のために各アンテナから送信される周波数領域シンボルにそれぞれのファクタが適用される。
【００１７】
いくつかの例では、各サブキャリアに関連するファクタのセットは離散フーリエ変換（ＤＦＴ）行列の行または列に対応する。いくつかの例では、ＤＦＴ行列の各行（または列）は最小回数使用される。すなわち、たとえば、サブキャリアの数が行（または列）の数に等しい場合、各行（または列）はそれぞれのサブキャリアのためのファクタのセットとして１回使用される。たとえば、サブキャリアの数はＤＦＴ行列のサイズよりも大きく、サブキャリアに関連するファクタのセットは、ＤＦＴ行列のあらゆる行または列に対応するセットを含む。サブキャリアの数が行（または列）の数の２倍である場合、各行（または列）は２回使用されるなどである。他の例では、たとえば、サブキャリアの数はＤＦＴ行列のサイズ以下であり得、各サブキャリアに関連するファクタのセットは、ＤＦＴ行列の異なるそれぞれの行または列を備える。
【００１８】
いくつかの例では、ファクタのセットを与える行列が使用され得、１つのサブキャリアに関連するファクタのセットは、少なくとも１つの他のサブキャリアに関連するファクタのセットとは異なる。いくつかの例では、行列が直交ビームを生成し、ＤＦＴ行列が一例である。
【００１９】
図４は、４×４ＤＦＴ行列４００の一例を示す。図５は、図４のＤＦＴ行列４００と、−６から６までの番号を付けられた１２個のサブキャリア（サブキャリア０は使用されていない）と、４つのアンテナとを使用する一例における、各サブキャリアおよび各アンテナから送信される周波数領域シンボルに適用されるファクタ５００の一例を示す。サブキャリア−６〜サブキャリア−３の各々について、各アンテナから送信される周波数領域シンボルに適用されるファクタがＤＦＴ行列４００の列（または行）に対応することがわかる。ＤＦＴ行列の異なる列がサブキャリア−６〜サブキャリア−３に適用される。サブキャリア−２〜サブキャリア２（サブキャリア０を含まない）について、シーケンスが繰り返し、したがって、ＤＦＴ行列４００の異なる列（または行）がこれらのサブキャリアの各々に適用される。同様に、シーケンスはサブキャリア３〜サブキャリア６について繰り返す。ＤＦＴ行列の列（または行）の各々は３回使用されることがわかる。いくつかの例では、送信機は、サブキャリアが−３２、−３１、…、３０、３１と標示される、（たとえば６４点ＤＦＴを使用する）８０２．１１ｂａシステムにおいて使用される。
【００２０】
特定のサブキャリア、たとえば、サブキャリア−６、サブキャリア−２およびサブキャリア３を示すために、各アンテナから送信される周波数領域シンボルはシフトされず（適用されるファクタは１である）、これらのアンテナのすべての上で同じシンボルが送信される。一方、サブキャリア−５、サブキャリア−１およびサブキャリア４について、各アンテナから送信されるシンボルに適用されるファクタはＤＦＴ行列４００の第２の列（または行）に対応し、したがって、サブキャリア−５、サブキャリア−１およびサブキャリア４の各々のための各アンテナから異なるシンボルが送信される。
【００２１】
図６は、図４のＤＦＴ行列４００と、−６から６までの番号を付けられた１２個のサブキャリア（サブキャリア０は使用されていない）と、４つのアンテナとを使用する一例における、各サブキャリアおよび各アンテナから送信される周波数領域シンボルに適用されるファクタ６００の別の例を示す。図５の場合と同様に、ＤＦＴ行列の各列（または行）は３回使用される。しかしながら、この事例では、ファクタのセット（すなわち、ＤＦＴ行列の列または行）が異なる順序でサブキャリアに適用される。
【００２２】
図７は、２×２離散フーリエ変換（ＤＦＴ）行列７００の一例を示す。この行列は２アンテナ送信機において使用され得る。いくつかの例では、ＤＦＴ行列のサイズは送信アンテナの数に一致するが、他の例では、２つの値は異なり得る。たとえば、一方が他方の整数倍であり得る。図８は、２アンテナシステムにおける各サブキャリアおよび各アンテナから送信される周波数領域シンボルに適用されるファクタ８００の一例を示す。ＤＦＴ行列７００の各列（または行）は６回使用される。
【００２３】
いくつかの例では、ファクタはすべて同じ周波数領域シンボルに適用される。しかしながら、他の例では、異なるサブキャリアのためのファクタが異なる周波数領域シンボルに適用され得る。たとえば、第１のサブキャリアについて、（各アンテナについての信号を生成するための）そのサブキャリアのためのファクタが第１の周波数領域シンボルに適用され得る。第２のサブキャリアについて、そのサブキャリアのためのファクタが第２の周波数領域シンボルに適用され得る。第１および第２の周波数領域シンボルは、いくつかの例では同じであり得るか、またはいくつかの例では異なり得る。
【００２４】
図９は、２アンテナシステムにおける各サブキャリア上および各アンテナ上で送信される一般的な周波数領域シンボルの一例を示す。（サブキャリア０を含まない）サブキャリア−６〜サブキャリア６上の各サブキャリアに関連する周波数領域シンボルについての複素位相が、それぞれ、複素位相値ａ、ｂ、ｃ、ｄ、ｅ、ｆ、ｇ、ｈ、ｉ、ｋおよびｌによって表されている。次いで、各サブキャリアについて、そのサブキャリアを使用して両方のアンテナから送信すべき周波数領域シンボルのセットを生成するために、関連する周波数領域シンボルが、そのサブキャリアに関連するファクタのセットによって位相シフトされる。たとえば、サブキャリア−５の場合、ｂおよび−ｂの周波数領域シンボルを生成するために、複素位相ｂが２×２ＤＦＴ行列の第２の列（または行）によってシフトされる。これらの各々が、次いで、それぞれのアンテナからサブキャリア−５上で送信される。
【００２５】
いくつかの例では、複素数値ａ、ｂ、ｃ、ｄ、ｅ、ｆ、ｇ、ｈ、ｉ、ｋおよびｌの各々がそれぞれの位相および振幅値を表し得る。いくつかの例では、ａ、ｂ、ｃ、ｄ、ｅ、ｆ、ｇ、ｈ、ｉ、ｋおよびｌの各値が異なり得るか、または値のうちの少なくともいくつかが同じであり得る。いくつかの例では、ａ、ｂ、ｃ、ｄ、ｅ、ｆ、ｇ、ｈ、ｉ、ｋ、ｋおよびｌのための同じ値がＭＣ−ＯＯＫ信号のための異なる「オン」期間のために使用され得るが、他の実施形態では、これらの値のうちの１つ、２つ以上、または全部が「オン」期間の間で変動し得る。したがって、たとえば、サブキャリアのうちの１つまたは複数に関連するそれぞれの周波数領域シンボルが、異なるオン期間中に同じであるか、または異なり得る。
【００２６】
いくつかの例では、複数のサブキャリアが直交サブキャリアを備え、たとえば、すべての使用されるサブキャリア上で１つのアンテナから送信される信号（たとえばＯＦＤＭシンボル）が直交信号である。
【００２７】
いくつかの例では、第１の信号は複数のデータシンボルを備え、各データシンボルはそれぞれのシンボル期間中のオン期間とオフ期間とに対応し、各シンボル期間中のオン期間およびオフ期間の順序は、そのシンボル期間に対応するデータシンボルに基づく。したがって、たとえば、信号は、マンチェスターコーディングされたＭＣ−ＯＯＫシンボルを備え得、各「オン」期間中にＯＦＤＭシンボル（たとえばマルチキャリア信号）が送信される。データシンボルは、いくつかの例では、たとえば、８０２．１１ｂａ  ＷＵＰの少なくとも一部など、起動パケット（ＷＵＰ）の少なくとも一部に対応し得る。ＷＵＰを受信すると、起動受信機（ＷＵＲ）は、たとえば、Ｗｉ−Ｆｉ受信機または８０２．１１ＰＣＲなど、別のデバイスまたは構成要素を起動し得る。
【００２８】
ＭＣ−ＯＯＫ信号の「オン」部を生成するために同じＯＦＤＭシンボルを繰り返し使用すると、繰り返しは時間における強い相関を生じ得るので、望ましくないスペクトル線が生じることがある。この問題は、直交ビームを生成する行列のセットが選定されるいくつかの実施形態において対処され得る。マルチアンテナＭＣ−ＯＯＫ信号は、上記の実施形態のいずれかによって説明したように生成されるが、各アンテナから各サブキャリア上で送信される周波数領域シンボルに適用されるべきファクタを与えるために使用される行列は、ランダムまたは擬似ランダム様式で選定され得、したがって、１つの「オン」期間（たとえばＯＦＤＭシンボル）から次の「オン」期間まで変化し得る。行列のセットを生成することの一例は、ＤＦＴ行列に循環シフトを適用することを含む。すなわち、たとえば、ＤＦＴ行列のすべての列が同じ数のステップによって循環シフトされる。いくつかの例では、行列のセットは、２つの行列のみ、たとえば、ＤＦＴ行列と、１つのステップ（または２×２よりも大きいＤＦＴ行列のための１つもしくは複数のステップ）によってＤＦＴ行列を循環シフトすることによって得られる第２の行列とからなり得る。選択される行列のこのランダム化は、上述のスペクトル線を低減するか、または消去し得る。
【００２９】
図１０は、信号を送信するための装置１０００の一例の概略図である。本装置はプロセッサ１００２とメモリ１００４とを備える。メモリ１００４は、装置１０００が、複数のオン期間と複数のオフ期間とを備える第１のマルチキャリアオンオフキーイングされた信号を送信するように動作可能であるように、プロセッサ１００２によって実行可能な命令を含んでいる。各オン期間中に第１の信号を送信することは、複数のサブキャリアの各サブキャリアについて、複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタのセットは、複数のサブキャリアのうちの少なくとも１つの他のサブキャリアに関連するファクタのセットとは異なる。いくつかの例では、装置１０００は、図２の方法２００を実行するように設定され得る。たとえば、メモリ１００４は、装置１０００が、図２の方法２００を実行するように動作可能であるように、プロセッサ１００２によって実行可能な命令を含んでいることがある。
【００３０】
図１１は、信号を送信するための装置１１００の一例の概略図である。装置１１００は、複数のオン期間と複数のオフ期間とを備える第１のマルチキャリアオンオフキーイングされた信号を送信するように設定された送信機モジュール１１０２を備える。送信機モジュール１１０２は、複数のサブキャリアの各サブキャリアについて、複数のアンテナの各アンテナから、そのサブキャリアに関連するファクタのセットのそれぞれのファクタによって位相シフトされた、そのサブキャリアに関連する周波数領域シンボルを送信することによって、各オン期間中に第１の信号を送信するように設定され、そのサブキャリアに関連するファクタのセットは、複数のサブキャリアのうちの少なくとも１つの他のサブキャリアに関連するファクタのセットとは異なる。いくつかの例では、装置１０００は、図２の方法２００を実行するように設定され得る。
【００３１】
ハードウェア実装は、限定はしないが、デジタル信号プロセッサ（ＤＳＰ）ハードウェア、縮小命令セットプロセッサ、限定はしないが、特定用途向け集積回路（ＡＳＩＣ）および／またはフィールドプログラマブルゲートアレイ（ＦＰＧＡ）を含むハードウェア（たとえば、デジタルまたはアナログ）回路、および（適切な場合）そのような機能を実行することが可能な状態機械を含み得るか、または包含し得る。
【００３２】
上述の例は、本発明を限定するのではなく例示すること、および当業者は、添付された記述の範囲から逸脱することなく多くの代替例を設計することが可能であることに留意されたい。「備える」という単語は、請求項に記載されている要素またはステップ以外の要素またはステップの存在を除外せず、単数は複数を除外せず、単一のプロセッサまたは他のユニットは、以下の記述に具陳されたいくつかのユニットの機能を実現し得る。「第１の」、「第２の」などの用語が使用される場合、それらの用語は、単に特定の特徴の便宜上の識別のための標示として理解されるべきである。特に、それらの用語は、別段に明記されていない限り、複数のそのような特徴のうちの第１の特徴または第２の特徴（すなわち、時間または空間において現れるそのような特徴の第１番目または第２番目）について説明されるものとして解釈されるべきでない。本明細書で開示された方法におけるステップは、別段に明記されていない限り、任意の順序で実行され得る。記述中のいかなる参照符号も、それらの参照符号の範囲を限定するように解釈されないものとする。
【図１】
2021536192.tif 000003
【図２】
2021536192.tif 000004
【図３】
2021536192.tif 000005
【図４】
2021536192.tif 000006
【図５】
2021536192.tif 000007
【図６】
2021536192.tif 000008
【図７】
2021536192.tif 000009
【図８】
2021536192.tif 000010
【図９】
2021536192.tif 000011
【図１０】
2021536192.tif 000012
【図１１】
2021536192.tif 000013
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
信号を送信する方法であって、前記方法は、
複数のオン期間と複数のオフ期間とを備える第１のマルチキャリアオンオフキーイングされた信号を送信することを含み、
各オン期間中に前記第１の信号を送信することは、複数のサブキャリアの各サブキャリアについて、
複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタの前記セットが、前記複数のサブキャリアのうちの少なくとも１つの他のサブキャリアに関連するファクタのセットとは異なる、方法。
【請求項２】
各サブキャリアに関連するファクタの前記セットが離散フーリエ変換（ＤＦＴ）行列の行または列に対応する、請求項１に記載の方法。
【請求項３】
同じアンテナから送信される各サブキャリアに関連するそれぞれのファクタがＤＦＴ行列の列または行に対応する、請求項２に記載の方法。
【請求項４】
サブキャリアの数が前記ＤＦＴ行列のサイズの正の整数倍である、請求項２または３に記載の方法。
【請求項５】
サブキャリアの数が前記ＤＦＴ行列のサイズ以下であり、各サブキャリアに関連するファクタの前記セットが前記ＤＦＴ行列の異なるそれぞれの行または列を備える、請求項２から４のいずれか一項に記載の方法。
【請求項６】
サブキャリアの数が前記ＤＦＴ行列のサイズよりも大きく、前記サブキャリアに関連するファクタの前記セットが、前記ＤＦＴ行列のあらゆる行または列に対応するセットを含む、請求項２から４のいずれか一項に記載の方法。
【請求項７】
ファクタの前記セットのうちの少なくとも１つが、そのファクタに関連する前記周波数領域シンボルの位相シフトに対応しない、請求項１から６のいずれか一項に記載の方法。
【請求項８】
各サブキャリアに関連するそれぞれの周波数領域シンボルが、それぞれの量だけ位相シフトされた第１の周波数領域シンボルを備える、請求項１から７のいずれか一項に記載の方法。
【請求項９】
前記複数のサブキャリアが直交サブキャリアを備える、請求項１から８のいずれか一項に記載の方法。
【請求項１０】
前記サブキャリアのうちの１つまたは複数に関連するそれぞれの周波数領域シンボルが、異なるオン期間中に同じであるか、または異なり得る、請求項１から９のいずれか一項に記載の方法。
【請求項１１】
前記第１の信号が複数のデータシンボルを備え、各データシンボルがそれぞれのシンボル期間中のオン期間とオフ期間とに対応し、各シンボル期間中の前記オン期間および前記オフ期間の順序が、前記シンボル期間に対応する前記データシンボルに基づく、請求項１から１０のいずれか一項に記載の方法。
【請求項１２】
各シンボル期間中の前記オン期間および前記オフ期間の前記順序が、前記対応するデータシンボルのマンチェスターコーディングに基づいて選択される、請求項１１に記載の方法。
【請求項１３】
前記データシンボルが起動パケット（ＷＵＰ）に対応する、請求項１１または１２に記載の方法。
【請求項１４】
前記データシンボルが８０２．１１ｂａ起動パケット（ＷＵＰ）の少なくとも一部を備える、請求項１３に記載の方法。
【請求項１５】
少なくとも１つのプロセッサ上で実行されたとき、前記少なくとも１つのプロセッサに請求項１から１４のいずれか一項に記載の方法を実行させる命令を備えるコンピュータプログラム。
【請求項１６】
信号を送信するための装置であって、前記装置はプロセッサとメモリとを備え、前記メモリは、前記装置が、
複数のオン期間と複数のオフ期間とを備える第１のマルチキャリアオンオフキーイングされた信号を送信する
ように動作可能であるように、前記プロセッサによって実行可能な命令を含んでおり、
各オン期間中に前記第１の信号を送信することは、複数のサブキャリアの各サブキャリアについて、
複数のアンテナの各アンテナから、そのサブキャリアに関連するファクタのセットのそれぞれのファクタによって位相シフトされた、そのサブキャリアに関連する周波数領域シンボルを送信することを含み、そのサブキャリアに関連するファクタの前記セットが、前記複数のサブキャリアのうちの少なくとも１つの他のサブキャリアに関連するファクタのセットとは異なる、装置。
【国際調査報告】
2021536192.tif 000014
2021536192.tif 000015